(57)【特許請求の範囲】
【請求項１】
並設配置される複数の画像担持体の夫々に隣接して設けられて現像剤を供給する複数の現像ユニットに対向配置され、前記各現像ユニットから飛散する現像剤を吸引する飛散粉塵吸引装置において、
前記各現像ユニットの夫々に対応してその長手方向の一端側に設けられ、前記各現像ユニットから飛散する現像剤を吸引する複数の吸引口と、前記各吸引口の夫々に連通され、前記各吸引口から前記現像ユニットの配設方向においてその一端部に配置された現像ユニットよりも外側に設けられた共通の排気口まで延設される複数の吸引ダクトと、前記排気口に接続され、前記各吸引ダクトから吸引する吸引手段を備え、
前記複数の吸引ダクトは、
前記排気口に最も近い前記現像ユニットに設けられる第１吸引ダクト、及び前記第１吸引ダクト以外の少なくとも２つの他の吸引ダクトで構成され、
前記各吸引ダクトは、それぞれの前記吸引口から中空状の流通路が形成され、それぞれの前記流通路は前記配設方向に直交する方向に沿って前記排気口まで延設されるとともに、この延設する方向に直交する方向に重ねて配置され、
前記第１吸引ダクトは、
前記延設方向に沿って延びる長さ寸法を前記他の吸引ダクトの前記延設方向に沿って延びる長さ寸法より短く形成されてなり、
前記他の吸引ダクトは、
前記排気口から前記延設方向に離れて配置される現像ユニットに対応する前記吸引ダクトほど前記延設方向に沿って延びる長さ寸法が長く形成されてなり、
前記各吸引ダクトの前記延設方向に沿って延びる前記流通路は仕切り部材によって前記排出口に向かう途中まで仕切られ、
前記仕切り部材は、
前記第１吸引ダクトに合流する前に、前記他の吸引ダクト相互で順次合流するように延設され、
前記複数の吸引ダクト内を流れる前記空気の流れ方向に直交する前記流通路の断面積であって、
前記第１吸引ダクトの前記流通路の断面積は、前記他の吸引ダクトが合流した状態の前記流通路の断面積より小さくされていることを特徴とする飛散粉塵吸引装置。
【請求項２】
複数の画像担持体の夫々に現像剤を供給する複数の現像ユニットに対向配置され、前記各現像ユニットから飛散する現像剤を吸引する飛散粉塵吸引装置において、
前記各現像ユニットの夫々に対応して設けられ、前記各現像ユニットから飛散する現像剤を吸引する複数の吸引口と、前記各吸引口の夫々に連通され、前記各吸引口から共通の排気口まで延設される複数の吸引ダクトと、前記排気口に接続され、前記各吸引ダクトを吸引する吸引手段を備え、
前記複数の吸引ダクトは、
第１吸引ダクト、及び前記第１吸引ダクト以外の少なくとも２つの他の吸引ダクトで構成され、
前記第１吸引ダクトは、
前記吸引口及び前記排気口間の長さ寸法を前記他の吸引ダクトより短く形成されてなり、
前記他の吸引ダクトは、
前記第１吸引ダクトに合流する前に、前記他の吸引ダクト相互で合流することを特徴とし、
前記複数の吸引ダクトを仕切る仕切部材と、
前記仕切部材を移動して、前記各吸引ダクトが合流する合流位置を変更自在にする駆動手段を備えてなることを特徴とする飛散粉塵吸引装置。
【請求項３】
前記複数の吸引ダクトを仕切る仕切部材と、
前記仕切部材を移動して、前記各吸引ダクトが合流する合流位置を変更自在にする駆動手段を備えてなることを特徴とする請求項１記載の飛散粉塵吸引装置。
【請求項４】
前記駆動手段は、
前記仕切部材に当接するカム部材と、
前記カム部材に偏心して回転自在に連結される駆動モータと、
前記仕切部材に連結され、前記仕切部材を前記各吸引ダクト内から退避する方向に付勢する付勢部材を含んで構成されることを特徴とする請求項１乃至３何れかに記載の飛散粉塵吸引装置。
【請求項５】
前記各吸引口から前記各吸引ダクト内に吸引される前記現像剤量を検出する現像剤検出手段を備えてなり、
前記駆動手段は、
前記現像剤検出手段の検出結果に基づいて、前記仕切部材を移動させて、前記各吸引ガイド内を流れる空気の流量を調整することを特徴とする請求項２乃至４何れかに記載の飛散粉塵吸引装置。
【請求項６】
前記各画像担持体の書込み量を検出する書込み量検出手段を備えてなり、
前記駆動手段は、
前記書込み量検出手段の検出結果に基づいて、前記仕切部材を移動させて、前記各吸引ダクト内を流れる空気の流量を調整することを特徴とする請求項２乃至４何れかに記載の飛散粉塵吸引装置。
【発明の詳細な説明】
【技術分野】
【０００１】
本発明は、複写機、プリンタ、ファクシミリ等の画像形成装置の現像ユニットから飛散する現像剤（トナー）の粉塵を吸引する飛散粉塵吸引装置に関するものである。
【背景技術】
【０００２】
近年、複写機、プリンタ、ファクシミリ等の画像形成装置において、カラー画像を形成するため、フルカラー・タンデム式の画像形成装置が開発されている。
このタンデム式の画像形成装置は、複数の画像形成ユニット、及び複数の現像ユニットを含んで構成され、これらのユニットによってフルカラーのトナー像を形成する。
【０００３】
各画像形成ユニットは、それぞれイエロー（Ｙ）、マゼンタ（Ｍ）、シアン（Ｃ）及びブラック（Ｂ）の画像形成ユニットとして構成され、装置本体内に並設されている。各画像形成ユニットは、感光体ドラム（画像担持体）、帯電器等を備えている。
各現像ユニットは、それぞれイエロー（Ｙ）、マゼンタ（Ｍ）、シアン（Ｃ）及びブラック（Ｂ）の現像ユニットとして構成され、各画像形成ユニットの感光体ドラムに対向して配置されている。各現像ユニットは、現像ケース、現像ローラ等を備えている。
各現像ケースは、それぞれイエロートナー、マゼンタトナー、シアントナー、ブラックトナーの現像剤（トナー）を収容している。各現像ローラは、各現像ケースに回転自在に配置され、各画像形成ユニットの感光体ドラムに当接されている。
【０００４】
各画像形成ユニットの感光体ドラムは帯電器によって一様に帯電される。そして、帯電された各感光体ドラムは、露光装置によって露光されて静電潜像が形成される。
各感光体ドラムの静電潜像は、各現像ユニットの回転する現像ローラに担持されている各色の現像剤（イエロートナー、マゼンタトナー、シアントナー、ブラックトナー）により現像され、これにより、各感光体ドラムには、イエロートナー像、マゼンタトナー像、シアントナー像、ブラックトナー像が形成される。
そして、各感光体ドラムのトナー像は、中間転写ベルト上に、多重的に一次転写され、この中間転写ベルトから記録用紙に二次転写される。
二次転写された記録用紙は、定着装置によって各トナー像が定着された後、装置本体の排出トレイに排紙される。
【０００５】
各現像ユニットの現像ローラは比較的高速で回転することで、各感光体ドラムの静電潜像に現像剤（トナー）を現像転移させて付着させている。各現像ローラを高速で回転させると、現像ケースの開口から現像剤（トナー）が装置本体内に飛散し易くなる。
現像剤の飛散は、画像形成装置を汚染し、画像形成装置の光経路、搬送経路（記録用紙の搬送）上に現像剤（粉塵）が蓄積すると、画像形成（静電潜像、トナー像）に悪影響を与える。
現像剤の粉塵の飛散、蓄積を防止するため、吹き込み送風により現像剤を吹き払うと、画像形成装置内に設置される帯電器、中間転写ベルト等を却って汚染することになってしまう。
従って、各現像ユニットから飛散する現像剤の粉塵を、画像形成装置内の集塵できる場所に意図的に集める必要がある。
【０００６】
現像剤（粉塵）の飛散を防止する技術として、特許文献１に開示する技術及び特許文献２に開示する技術が提案されている。
【０００７】
特許文献１に開示する技術は、現像剤（粉塵）を吸引、排気する吸引用ダクトの技術を開示している。吸引用ダクトは、複数の吸引口、及び複数の気流路を有し、各吸引口は現像装置及び感光体の近傍に配置されている。複数の気流路は、各吸引口に連通され、共通の排気口で合流されている。これら各気流路は、吸引口及び排気口間の長さ寸法が相違している。
特許文献１に開示する技術では、強制気流発生装置によって排気口から各気流路を吸引することで、現像装置から飛散する現像剤（粉塵）を各気流路から装置本体外に吸引、排気する。
【０００８】
特許文献２に開示する技術は、現像剤（粉塵）を吸引、排気する吸引用ダクトの技術を開示する。吸引用ダクトは、複数の排気ダクト、及び共通ダクトを有し、各排気ダクトは帯電器及び現像器の間に夫々配置されている。各排気ダクト内には、排気ファンが夫々配置され、各排気ダクトは共通ダクトに連通されている。
共通ダクトの排気口側には、空気圧計測器が配置され、制御部は空気圧計測器の検出に基づいて、排気ファンの駆動（出力、吸引力）を制御することで、各排気ダクト内の圧力を所定値以下に制御している。
特許文献２に開示する技術では、各排気ダクトの排気ファンを駆動することで、現像器から飛散する現像剤（粉塵）を各排気ダクト、共通ダクトから装置本体外に吸引、排気する。
【０００９】
しかしながら、特許文献１に開示する技術は、強制気流発生装置によって排気口から各気流路を吸引しているので、各気流路の長さ寸法の相違によって吸引力が変化する。特に、排出口から離れた気流路では、吸引力が弱くなり、現像装置から飛散する現像剤（粉塵）を確実に吸引、排気できない。
このとき、強制気流発生装置による吸引力を上げると、排気口に近い気流路では、必要以上の吸引力となり、不必要な吸引を行うことになる。
【００１０】
特許文献２に開示する技術は、各排気ダクトの圧力を所定値以下にするため、各排気ファンの駆動（出力、吸引力）を制御している。そのため、必要以上の出力を持つ排気ファンを各排気ダクト内に配置する必要があり、エネルギ消費が多くなる。
各排気ファンは、各排気ダクトの共通ダクト側に配置されているため、各排気ダクト内の圧力を所定値内にすることは困難である。従って、各排気ダクト、各排気ファンによる吸引は不均一となり、現像器から飛散する現像剤（粉塵）を確実に吸引、排気できない。
【先行技術文献】
【特許文献】
【００１１】
【特許文献１】特開２００５−１４０９７１号公報
【特許文献２】特開２００４−３５４６６３号公報
【発明の概要】
【発明が解決しようとする課題】
【００１２】
本発明が解決しようとする課題は、上記問題に鑑み、複数の画像担持体及び複数の現像ユニット等を備える画像形成装置であって、各現像ユニットから飛散する現像剤（粉塵）を確実に吸引、排気できる飛散粉塵吸引装置を提供することにある。
【課題を解決するための手段】
【００１３】
請求項１に係る発明は、並設配置される複数の画像担持体の夫々に隣接して設けられて現像剤を供給する複数の現像ユニットに対向配置され、前記各現像ユニットから飛散する現像剤を吸引する飛散粉塵吸引装置において、前記各現像ユニットの夫々に対応してその長手方向の一端側に設けられ、前記各現像ユニットから飛散する現像剤を吸引する複数の吸引口と、前記各吸引口の夫々に連通され、前記各吸引口から前記現像ユニットの配設方向においてその一端部に配置された現像ユニットよりも外側に設けられた共通の排気口まで延設される複数の吸引ダクトと、前記排気口に接続され、前記各吸引ダクトから吸引する吸引手段を備え、前記複数の吸引ダクトは、前記排気口に最も近い前記現像ユニットに設けられる第１吸引ダクト、及び前記第１吸引ダクト以外の少なくとも２つの他の吸引ダクトで構成され、前記各吸引ダクトは、それぞれの前記吸引口から中空状の流通路が形成され、それぞれの前記流通路は前記配設方向に直交する方向に沿って前記排気口まで延設されるとともに、この延設する方向に直交する方向に重ねて配置され、前記第１吸引ダクトは、前記延設方向に沿って延びる長さ寸法を前記他の吸引ダクトの前記延設方向に沿って延びる長さ寸法より短く形成されてなり、前記他の吸引ダクトは、前記排気口から前記延設方向に離れて配置される現像ユニットに対応する前記吸引ダクトほど前記延設方向に沿って延びる長さ寸法が長く形成されてなり、前記各吸引ダクトの前記延設方向に沿って延びる前記流通路は仕切り部材によって前記排出口に向かう途中まで仕切られ、前記仕切り部材は、前記第１吸引ダクトに合流する前に、前記他の吸引ダクト相互で順次合流するように延設され、前記複数の吸引ダクト内を流れる前記空気の流れ方向に直交する前記流通路の断面積であって、前記第１吸引ダクトの前記流通路の断面積は、前記他の吸引ダクトが合流した状態の前記流通路の断面積より小さくされていることを特徴とする飛散粉塵吸引装置に関する。
【００１４】
請求項２に係る発明は、複数の画像担持体の夫々に現像剤を供給する複数の現像ユニットに対向配置され、前記各現像ユニットから飛散する現像剤を吸引する飛散粉塵吸引装置において、前記各現像ユニットの夫々に対応して設けられ、前記各現像ユニットから飛散する現像剤を吸引する複数の吸引口と、前記各吸引口の夫々に連通され、前記各吸引口から共通の排気口まで延設される複数の吸引ダクトと、前記排気口に接続され、前記各吸引ダクトを吸引する吸引手段を備え、前記複数の吸引ダクトは、第１吸引ダクト、及び前記第１吸引ダクト以外の少なくとも２つの他の吸引ダクトで構成され、前記第１吸引ダクトは、前記吸引口及び前記排気口間の長さ寸法を前記他の吸引ダクトより短く形成されてなり、前記他の吸引ダクトは、前記第１吸引ダクトに合流する前に、前記他の吸引ダクト相互で合流することを特徴とし、前記複数の吸引ダクトを仕切る仕切部材と、前記仕切部材を移動して、前記各吸引ダクトが合流する合流位置を変更自在にする駆動手段を備えてなることを特徴とする飛散粉塵吸引装置に関する。
【００１５】
請求項３に係る発明は、前記複数の吸引ダクトを仕切る仕切部材と、前記仕切部材を移動して、前記各吸引ダクトが合流する合流位置を変更自在にする駆動手段を備えてなることを特徴とする請求項１記載の飛散粉塵吸引装置に関する。
【００１６】
請求項４に係る発明は、前記駆動手段は、前記仕切部材に当接するカム部材と、前記カム部材に偏心して回転自在に連結される駆動モータと、前記仕切部材に連結され、前記仕切部材を前記各吸引ダクト内から退避する方向に付勢する付勢部材を含んで構成されることを特徴とする請求項１乃至３何れかに記載の飛散粉塵吸引装置に関する。
【００１７】
請求項５に係る発明は、前記各吸引口から前記各吸引ダクト内に吸引される前記現像剤量を検出する現像剤検出手段を備えてなり、前記駆動手段は、前記現像剤検出手段の検出結果に基づいて、前記仕切部材を移動させて、前記各吸引ガイド内を流れる空気の流量を調整することを特徴とする請求項２乃至４何れかに記載の飛散粉塵吸引装置に関する。
【００１８】
請求項６に係る発明は、前記各画像担持体の書込み量を検出する書込み量検出手段を備えてなり、前記駆動手段は、前記書込み量検出手段の検出結果に基づいて、前記仕切部材を移動させて、前記各吸引ダクト内を流れる空気の流量を調整することを特徴とする請求項２乃至４何れかに記載の飛散粉塵吸引装置に関する。
【発明の効果】
【００１９】
請求項１及び２に係る発明によれば、複数の画像担持体の夫々に現像剤を供給する複数の現像ユニットに対向配置され、前記各現像ユニットから飛散する現像剤を吸引する飛散粉塵吸引装置において、前記各現像ユニットの夫々に対応して設けられ、前記各現像ユニットから飛散する現像剤を吸引する複数の吸引口と、前記各吸引口の夫々に連通され、前記各吸引口から共通の排気口まで延設される複数の吸引ダクトと、前記排気口に接続され、前記各吸引ダクトを吸引する吸引手段を備え、前記複数の吸引ダクトは、少なくとも１の第１吸引ダクト、及び前記第１吸引ダクト以外の他の吸引ダクトで構成され、前記第１吸引ダクトは、前記吸引口及び前記排気口間の長さ寸法を前記他の吸引ダクトより短く形成されてなり、前記他の吸引ダクトは、前記第１吸引ダクトに合流する前に、前記他の吸引ダクト相互で合流するので、第１吸引ダクトまでの空間を広くでき、空気の流れを第１吸引ダクトに集中しないようにできる。
吸引口及び排気口間の長さ寸法が最短の第１吸引ダクトに空気の流れが集中しないので、他の吸引ダクト及び第１吸引ダクトの空気の流れ（吸引力）を均一にでき、各現像ユニットから飛散する現像剤（粉塵）を確実に装置本体外に吸引、排気できる。
また、各吸引ダクトを吸引する吸引手段の吸引力を上げる必要がなく、各吸引ダクトの吸引力を均一にでき、エネルギ消費を低減でき、各吸引ダクトに排気ファンを設ける必要もない。
【００２０】
請求項１に係る発明によれば、前記複数の吸引ダクト内を流れる前記空気の流れ方向に直交する断面積であって、前記第１吸引ダクトの断面積は、前記他の吸引ダクトの断面積より小さくされているので、第１吸引ダクト及び他の吸引ダクトの風速、空気の流量を均一にできる。
各吸引ダクトを流れる空気の流量は、速度と断面積の積で算出され、吸引口が吸引手段から最も近くにある第１吸引ダクトの断面積を他の吸引ダクトより小さくすることで、各吸引ダクトの空気の流量を均一にできる。
【００２１】
請求項２及び３に係る発明によれば、前記複数の吸引ダクトを仕切る仕切部材と、前記仕切部材を移動して、前記各吸引ダクトが合流する合流位置を変更自在にする駆動手段を備えてなるので、仕切部材を移動することで、各吸引ダクトの合流位置を調整でき、これにより、各吸引ダクトを流れる空気の流量（吸引力）を調整できる。
【００２２】
請求項４に係る発明によれば、前記駆動手段は、前記仕切部材に当接するカム部材と、前記カム部材に偏心して回転自在に連結される偏心駆動モータと、前記仕切部材に連結され、前記仕切部材を前記各吸引ダクト内から退避する方向に付勢する付勢部材を含んで構成されるので、簡単な構成で各吸引ダクトの合流位置を調整できる。
【００２３】
請求項５に係る発明によれば、前記各吸引口から前記各吸引ダクト内に吸引される前記現像剤量を検出する現像剤検出手段を備えてなり、前記駆動手段は、前記現像剤検出手段の検出結果に基づいて、前記仕切部材を移動させて、前記各吸引ガイド内を流れる空気の流量を調整するので、各吸引ダクト内を流れる現像剤量を検出して、仕切部材を移動することで、各吸引ダクトを流れる空気の流量（吸引力）を調整でき、現像剤の飛散が多い吸引ダクトの流量（吸引力）を高めることができる。
【００２４】
請求項６に係る発明によれば、前記各画像担持体の書込み量を検出する書込み量検出手段を備えてなり、前記駆動手段は、前記書込み量検出手段の検出結果に基づいて、前記仕切部材を移動させて、前記各吸引ダクト内を流れる空気の流量を調整するので、特別な現像剤検出手段を各吸引ダクトに配置することなく、現像量が多くなることにより現像剤が多く飛散している吸引ダクトを間接的に検出できる。
【図面の簡単な説明】
【００２５】
【図１】本発明に係る飛散粉塵吸引装置を配置する画像形成装置を示す斜視図である。
【図２】本発明に係る飛散粉塵吸引装置を配置する画像形成装置を示す要部正面拡大図である。
【図３】本発明の係る飛散粉塵吸引装置を配置する画像形成装置を示す要部上面拡大図である。
【図４】本発明に係る飛散粉塵吸引装置の吸引ダクト部を示す斜視図である。
【図５】本発明に係る飛散粉塵吸引装置の現像剤検出部を示す正面図である。
【図６】本発明に係る飛散粉塵吸引装置の仕切部材駆動ユニットを示す断面図である。
【図７】本発明に係る飛散粉塵吸引装置の仕切部材駆動ユニットを示す背面斜視図である。
【図８】図７の拡大斜視図である。
【図９】本発明に係る飛散粉塵吸引装置の仕切部材駆動ユニットを示す正面斜視図である。
【図１０】本発明に係る飛散粉塵吸引装置であって、各吸引ダクトが合流する状態を示す正面図である。
【図１１】本発明に係る飛散粉塵吸引装置において、第１吸引ダクト及び他の各吸引ダクトの合流位置の各種態様（比較例、実施例１及び実施例２）を示す正面図である。
【図１２】図１１に示す各種態様（比較例、実施例１、実施例２）の実験データを示すグラフ図である。
【発明を実施するための形態】
【００２６】
本発明に係る飛散粉塵吸引装置について、図１乃至図１２を参照して説明する。
図１乃至図３において、飛散粉塵吸引装置（Ｘ）は、画像形成装置（Ｙ）内に配置されている。
以下、便宜上、画像形成装置（Ｙ）の構成、飛散粉塵吸引装置（Ｘ）の構成の順に説明する。
【００２７】
＜画像形成装置（Ｙ）の構成＞
先ず、画像形成装置（Ｙ）の構成について、図１乃至図３を参照して説明する。
画像形成装置（Ｙ）は、図１乃至図３に示すように、フルカラー・タンデム式であって、複数の画像形成ユニット（２Ｍ）、（２Ｃ）、（２Ｙ）、（２Ｂ）、及び複数の現像ユニット（３Ｍ）、（３Ｃ）、（３Ｙ）、（３Ｂ）を含んで構成されている。
【００２８】
複数の画像形成ユニット（２Ｍ）、（２Ｃ）、（２Ｙ）、（２Ｂ）は、マゼンタ（２Ｍ）、シアン（２Ｃ）、イエロー（２Ｙ）及びブラック（２Ｂ）の画像形成ユニットで構成され、装置本体（１）内に並設して配置されている。
各画像形成ユニット（２Ｍ）、（２Ｃ）、（２Ｙ）、（２Ｂ）は、感光体ドラム（５：画像担持体）、帯電ユニット（６）及びクリーニングユニット（７）を含んで構成されている。
【００２９】
感光体ドラム（５）は、図３に示すように、装置本体（１）の前後方向（ＦＲ）にわたって配置され、両端を装置本体（１）に回転自在に軸支されている。
帯電ユニット（６）は、帯電ローラ（６Ａ）を含んで構成されている。帯電ローラ（６Ａ）は、感光体ドラム（５）の下方側に配置され、この感光体ドラム（５）に当接されている。この帯電ローラ（６Ａ）は、図３に示すように、装置本体（１）の前後方向（ＦＲ）にわたって配置され、両端を装置本体（１）に回転自在に軸支されている。
クリーニングユニット（７）は、クリーニングローラ（８）等で構成され、感光体ドラム（５）の回転方向に対して、帯電ローラ（６Ａ）よりも上流側に配置されている。クリーニングローラ（８）は、感光体ドラム（５）に当接されている。なお、クリーニングローラ（８）は、図１及び図３に示す前後方向（ＦＲ）にわたって配置され、両端を回転自在に軸支持されている。
【００３０】
複数の現像ユニット（３Ｍ）、（３Ｃ）、（３Ｙ）、（３Ｂ）は、図２に示すように、マゼンタ（３Ｍ）、シアン（３Ｃ）、イエロー（３Ｙ）及びブラック（３Ｂ）の現像ユニットで構成され、装置本体（１）内に並設して配置されている。
各現像ユニット（３Ｍ）、（３Ｃ）、（３Ｙ）、（３Ｂ）は、図２に示すように、各画像形成ユニット（２Ｍ）、（２Ｃ）、（２Ｙ）、（２Ｂ）の夫々に対向して配置されている。これら各現像ユニット（３Ｍ）、（３Ｃ）、（３Ｙ）、（３Ｂ）は、各画像形成ユニット（２Ｍ）、（２Ｃ）、（２Ｙ）、（２Ｂ）の感光体ドラム（５）の回転方向に対して、各帯電ローラ（６Ａ）よりも下流側に配置されている。
また、各現像ユニット（３Ｍ）、（３Ｃ）、（３Ｙ）、（３Ｂ）は、マゼンタ、シアン、イエロー及びブラックの現像剤補給コンテナ（図示しない）に接続され、これら各現像剤補給トナーから現像剤（マゼンタトナー、シアントナー、イエロートナー及びブラックトナー）の補給を受ける。
複数の現像ユニット（３Ｍ）、（３Ｃ）、（３Ｙ）、（３Ｂ）は、図２に示すように、現像ケース（９）、現像ローラ（１０）及び複数のスクリュー部材（１１）を含んで構成されている。
【００３１】
現像ケース（９）は、感光体ドラム（５）側が開口しており、現像剤（トナー）を収容している。現像ローラ（１０）は、現像ケース（９）内に回転自在に軸支され、図１及び図３に示す前後方向（ＦＲ）にわたって配置されている。この現像ローラ（１０）は、現像ケース（９）の開口から感光体ドラム（５）側に突出して、感光体ドラム（５）に当接されている。
各スクリュー部材（１１）は、現像ケース（９）内に回転自在に軸支され、現像ケース（９）に収容する現像剤（トナー）を撹拌、搬送する。
【００３２】
上記構成の画像形成装置（Ｙ）は、図２に示すように、各画像形成ユニット（２Ｍ）、（２Ｃ）、（２Ｙ）、（２Ｂ）の感光体ドラム（５）を高速回転して、各感光体ドラム（５）を各帯電ローラ（６）によって一様に帯電する。
帯電された各感光体ドラム（５）は、図１に示すように、露光装置（４）の露光によって静電潜像が形成される。
【００３３】
続いて、各現像ユニット（３Ｍ）、（３Ｃ）、（３Ｙ）、（３Ｂ）の現像ローラ（１０）を高速回転して、各現像ローラ（１０）に担持されている各色の現像剤（マゼンタトナー、シアントナー、イエロートナー及びブラックトナー）により各感光体ドラム（５）の静電潜像を現像する。
【００３４】
各画像形成ユニット（２Ｍ）、（２Ｃ）、（２Ｙ）、（２Ｂ）の感光体ドラム（５）は、各色の現像剤のトナー像（マゼンタトナー像、シアントナー像、イエロートナー像及びブラックトナー像）が形成される。
各感光体ドラム（５）のトナー像は、図２に示すように、中間転写ベルト（１２）に多重的に転写（一次転写）される。
【００３５】
画像形成装置（Ｙ）は、図１に示すように、給紙カセット（１３）から記録用紙を中間転写ベルト（１２）及び二次転写ローラ（１４）まで搬送する。記録用紙は、中間転写ベルト（１２）及び二次転写ローラ（１４）でニップされ、各感光体ドラム（５）から中間転写ベルト（１２）に多重転写（一次転写）されたトナー像が記録用紙に転写（二次転写）される。
二次転写された記録用紙は、定着装置（図示しない）に搬送され、この定着装置の加熱、加圧によってトナー像が定着される。
そして、記録用紙は、装置本体（１）外の排出トレイ（ＯＴ）に排紙される。
【００３６】
＜飛散粉塵吸引装置（Ｘ）の構成＞
次に、飛散粉塵吸引装置（Ｘ）について、図１乃至図９を参照して説明する。
図１乃至図３において、飛散粉塵吸引装置（Ｘ）は、装置本体（１）内に配置され、前後方向（ＦＲ）であって、各画像形成ユニット（２Ｍ）、（２Ｃ）、（２Ｙ）、（２Ｂ）よりも後端側に設置されている。
【００３７】
飛散粉塵吸引装置（Ｘ）は、吸引ダクト部（１５）、吸引装置（１８：吸引手段）、現像剤検出部（２２：現像剤検出手段）、仕切部材駆動ユニット（２０：駆動手段）及び駆動制御部（２１）を含んで構成されている。
【００３８】
吸引ダクト部（１５）は、図２乃至図６に示すように、複数の吸引口（１５Ｍ）、（１５Ｃ）、（１５Ｙ）、（１５Ｂ）及び複数の吸引ダクト（１６Ｍ）、（１６Ｃ）、（１６Ｙ）、（１６Ｂ）及び排気口（１７）で構成されている。
【００３９】
複数の吸引口（１５Ｍ）、（１５Ｃ）、（１５Ｙ）、（１５Ｂ）は、図２に示すように、各現像ユニット（３Ｍ）、（３Ｃ）、（３Ｙ）、（３Ｍ）の夫々に対応して設けられ、各現像ユニット（３Ｍ）、（３Ｃ）、（３Ｙ）、（３Ｍ）から飛散する現像剤を吸引する。
各吸引口（１５Ｍ）、（１５Ｃ）、（１５Ｙ）、（１５Ｂ）は、各現像ユニット（３Ｍ）、（３Ｃ）、（３Ｙ）、（３Ｂ）の感光体ドラム（５）側の空隙領域（Ｒ）の夫々に開口している。この空隙領域（Ｒ）は、図２に示すように、各感光体ドラム（５）、各現像ローラ（１０）及び各帯電ローラ（６）で区画される領域である。
【００４０】
複数の吸引ダクト（１６Ｍ）、（１６Ｃ）、（１６Ｙ）、（１６Ｂ）は、図１乃至図４に示すように、中空状の流通路を形成しており、各吸引口（１５Ｍ）、（１５Ｃ）、（１５Ｙ）、（１５Ｂ）及び共通の排気口（１７）に連通されている。
各吸引ダクト（１６Ｍ）、（１６Ｃ）、（１６Ｙ）、（１６Ｂ）は、装置本体（１）の上下方向（ＵＤ）に重ねて配置され、装置本体（１）の左右方向（ＬＲ）に延設されている。吸引ダクト（１６Ｃ）、（１６Ｙ）、（１６Ｂ）の吸引口（１５Ｃ）、（１５Ｙ）、（１５Ｂ）側は、上下方向（ＵＤ）の下方側に延びて各吸引口（１５Ｃ）、（１５Ｙ）、（１５Ｂ）に連通されている。
これにより、複数の吸引ダクト（１６Ｍ）、（１６Ｃ）、（１６Ｙ）、（１６Ｂ）は、各吸引口（１５Ｍ）、（１５Ｃ）、（１５Ｙ）、（１５Ｂ）から共通の排気口（１７）まで延設されている。
【００４１】
複数の吸引ダクト（１６Ｍ）、（１６Ｃ）、（１６Ｙ）、（１６Ｂ）は、図１乃至図４に示すように、各吸引口（１５Ｍ）、（１５Ｃ）、（１５Ｙ）、（１５Ｂ）及び排気口（１７）間の長さ寸法が相互に相違されている。
長さ寸法は、吸引ダクト（１６Ｍ）＜吸引ダクト（１６Ｃ）＜吸引ダクト（１６Ｙ）＜吸引ダクト（１６Ｂ）の関係であり、吸引ダクト（１６Ｍ）は最も短いダクトである。
これにより、吸引ダクト部（１５）は、複数の吸引ダクト（１６Ｍ）、（１６Ｃ）、（１６Ｙ）、（１６Ｂ）を、最も短い吸引ダクト（１６Ｍ：第１吸引ダクト）、及び他の吸引ダクト（１６Ｃ）、（１６Ｙ）、（１６Ｂ）で構成している。
複数の吸引ダクト（１６Ｍ）、（１６Ｃ）、（１６Ｙ）、（１６Ｂ）は、図２、及び図４乃至図６に示すように、排気口（１７）側で合流している。
【００４２】
吸引装置（１８）は、図３、図７乃至図９に示すように、吸引ダクト部（１５）の排気口（１７）に接続され、吸引ファンで構成されている（以下、吸引ファン（１８）と称する）。
吸引ファン（１８）は、各吸引ダクト（１６Ｍ）、（１６Ｃ）、（１６Ｙ）、（１６Ｂ）内を吸引して、空気を各吸引口（１５Ｍ）、（１５Ｃ）、（１５Ｙ）、（１５Ｂ）から排気口（１７）に向けて流動させる。
【００４３】
現像剤検出部（２２）は、図５に示すように、複数の検出センサ（２２Ｍ）、（２２Ｃ）、（２２Ｙ）、（２２Ｂ）で構成されている。各検出センサ（２２Ｍ）、（２２Ｃ）、（２２Ｙ）、（２２Ｂ）は、各吸引ダクト（１６Ｍ）、（１６Ｃ）、（１６Ｙ）、（１６Ｂ）内に配置され、各吸引口（１５Ｍ）、（１５Ｃ）、（１５Ｙ）、（１５Ｂ）側に位置している。
各検出センサ（２２Ｍ）、（２２Ｃ）、（２２Ｙ）、（２２Ｂ）は、各吸引口（１５Ｍ）、（１５Ｃ）、（１５Ｙ）、（１５Ｂ）側で現像剤（粉塵）量を検出する。
【００４４】
仕切部材駆動ユニット（２０）は、図３、図４、及び図６乃至図９に示すように、装置本体（１）内に配置され、前後方向（ＦＲ）において、複数の吸引ダクト（１６Ｍ）、（１６Ｃ）、（１６Ｙ）、（１６Ｂ）より後端側に位置している。
仕切部材駆動ユニット（２０）は、ユニット本体（３０）、複数の仕切部材（３１）、複数のカム円板（３２）及び複数の偏心駆動モータ（３３）及び複数のバネ部材（３４：付勢部材）を含んで構成されている。
【００４５】
ユニット本体（３０）は、図６に示すように、吸引ダクト部（１５）後端の間に収納空間（Ｋ）を隔てて下方側に延設する支持枠体（３５）を備えている。このユニット本体（３０）は、収納空間（Ｋ）内に複数の積載棚（３６）を有し、各積載棚（３６）は上下方向（ＵＤ）に間隔を隔てて吸引ダクト部（１５）に支持されている。
【００４６】
複数の仕切部材（３１）は、図３、図４及び図６乃至図９に示すように、各吸引ダクト（１６Ｍ）、（１６Ｃ）、（１６Ｙ）、（１６Ｂ）を区画するもので、吸引ダクト部（１５）内に進入され、又は退避される。これら各仕切部材（３１）は、図３、図８及び図９に示すように、一対のガイド部材（３６）によって移動が案内される。
各仕切部材（３１）は、図３、図４、及び図７乃至図９に示すように、上下方向（ＵＤ）に間隔を隔てて配置され、左右方向（ＬＦ）にわたって直線的に配置されている。
【００４７】
複数のカム円板（３２）は、図３、図４及び図６乃至図９に示すように、ユニット本体（３０）の収納空間（Ｋ）内に配置され、各仕切部材（３１）に対向している。各カム円板（３２）の外周面は、各仕切部材（３１）後端の夫々に当接されており、各ガイド部材（３６）内に挿入されている。
【００４８】
複数の偏心駆動モータ（３３）は、図６に示すように、各積載棚（３６）上に配置され、各カム円板（３２）の夫々に対向されている。
各偏心駆動モータ（３３）の偏心駆動軸（３３Ａ）は、カム円板（３２）の軸心から間隔を隔てる偏心位置で、各カム円板（３２）に連結されている。
【００４９】
複数のバネ部材（３４）は、図３、図４、及び図６乃至図９に示すように、各仕切部材（３１）に対向して配置されている。各バネ部材（３４）の一端側は、図３、図７乃至図９に示すように、各仕切部材（３１）の後端側に連結され、各バネ部材（３４）の他端側は、ユニット本体（３０）の支持枠体（３５）に連結されている。
これら各バネ部材（３４）は、各仕切部材（３１）を各吸引ダクト（１６Ｍ）、（１６Ｃ）、（１６Ｙ）、（１６Ｂ）内から退避する方向に付勢している。
【００５０】
上記構成の仕切部材駆動ユニット（２０）は、各仕切部材（３１）を吸引ダクト部（１５）内に進入移動し、又は退避移動することで、各吸引ダクト（１６Ｍ）、（１６Ｃ）、（１６Ｙ）、（１６Ｂ）の合流位置を変更させる。
各仕切部材は（３１）は、各カム円板（３２）の偏心側が当接すると、各バネ部材（３３）のバネ力（付勢力）によって各吸引ダクト（１６Ｍ）、（１６Ｃ）、（１６Ｙ）、（１６Ｂ）内から退避移動され、ユニット本体（３０）の収納空間（Ｋ）内に位置する。
偏心駆動モータ（３３）を駆動して、カム円板（３２）を回転すると、各仕切部材（３１）は、偏心する各カム円板（３２）によって各バネ部材（３３）のバネ力（付勢力）に抗して、ユニット本体（３３）の収納空間（Ｋ）から各吸引ダクト（１６Ｍ）、（１６Ｃ）、（１６Ｙ）、（１６Ｂ）内に進入移動される。
これにより、仕切部材駆動ユニット（２０）は、吸引ダクト部（１５）内外に進入、退避する仕切部材（３１）の数によって、各吸引ダクト（１６Ｍ）、（１６Ｃ）、（１６Ｙ）、（１６Ｂ）が相互に合流する合流位置を変更できる。
【００５１】
駆動制御部（２１）は、図５及び図６に示すように、吸引ファン（１８）、複数の検出センサ（２２Ｍ）、（２２Ｃ）、（２２Ｙ）、（２２Ｂ）及び各偏心駆動モータ（３３）に接続されている。
駆動制御部（２１）は、吸引ファン（１８）に駆動信号を出力して、吸引ファン（１８）の駆動を制御する。
この駆動制御部（２１）は、各偏心駆動モータ（３３）に駆動信号を出力して、各偏心駆動モータ（３３）の駆動を制御する。
また、駆動制御部（２１）は、各検出センサ（２２Ｍ）、（２２Ｃ）、（２２Ｙ）、（２２Ｂ）の検出に基づいて、各吸引ダクト（１６Ｍ）、（１６Ｃ）、（１６Ｙ）、（１６Ｂ）内の現像剤（粉塵）量を判別して、各偏心駆動モータ（３３）の駆動を制御する。
【００５２】
＜飛散粉塵吸引装置（Ｘ）の吸引動作＞
画像形成装置（Ｙ）は、電源「ＯＮ」にされると、飛散粉塵吸引装置（Ｘ）を作動させる。飛散粉塵吸引装置（Ｘ）において、駆動制御部（２１）は、特定の偏心駆動モータ（３３）に駆動信号を出力する。
特定の偏心駆動モータ（３３）は、駆動信号が入力されると、偏心駆動軸（３３Ａ）を駆動（回転）して、特定のカム円板（３２）を回転する。
特定の仕切部材（３３）は、各バネ部材（３４）のバネ力（付勢力）によって吸引ダクト部（１５）内から退避移動させることで、各吸引ダクト（１６Ｍ）、（１６Ｃ）、（１６Ｙ）、（１６Ｂ）相互の合流位置を変更する。
これにより第１吸引ダクト（１６Ｍ）以外の他の各吸引ダクト（１６Ｃ）、（１６Ｙ）、（１６Ｂ）の合流位置（Ｐ）は、図１０に示すように、排気口（１７）側において、第１吸引ダクト（１６Ｍ）に合流する前に、相互に合流する位置となる。
そして、他の各吸引ダクト（１６Ｃ）、（１６Ｙ）、（１６Ｂ）は、合流位置（Ｐ）から排気口（１７）側において、第１吸引ダクト（１６Ｍ）に合流される。
【００５３】
続いて、駆動制御部（２１）は、吸引ファン（１８）に駆動信号を出力する。吸引ファン（１８）は、駆動信号の入力によって駆動され、共通の排気口（１７）から各吸引ダクト（１６Ｍ）、（１６Ｃ）、（１６Ｙ）、（１６Ｂ）を吸引する。
これにより、各吸引ダクト（１６Ｍ）、（１６Ｃ）、（１６Ｙ）、（１６Ｂ）内は、各吸引口（１５Ｍ）、（１５Ｃ）、（１５Ｙ）、（１５Ｂ）から共通の排気口（１７）に向かって空気が流動するので、図２に示すように、各現像ユニット（３Ｍ）、（３Ｃ）、（３Ｙ）、（３Ｂ）から空隙領域（Ｒ）に飛散する現像剤（粉塵）は、各吸引口（１５Ｍ）、（１５Ｃ）、（１５Ｙ）、（１５Ｂ）から各吸引ダクト（１６Ｍ）、（１６Ｃ）、（１６Ｙ）、（１６Ｂ）内に吸引される。
各吸引ダクト（１６Ｍ）、（１６Ｃ）、（１６Ｙ）、（１６Ｂ）内に吸引された現像剤（粉塵）は、共通の排気口（１７）を通して、装置本体（１）外に排気、吸引される。
【００５４】
このとき、第１吸引ダクト（１６Ｍ）以外の他の各吸引ダクト（１６Ｃ）、（１６Ｙ）、（１６Ｂ）は、図１０に示すように、排気口（１７）側において、合流位置（Ｐ）で合流した後、第１吸引ダクト（１６Ｍ）に合流しているので、吸引ファン（１８）の空気の吸引（空気の流量）は第１吸引ダクト（１６Ｍ）に集中しない。
これにより、各吸引ダクト（１６Ｍ）、（１６Ｃ）、（１６Ｙ）、（１６Ｂ）内において、空気の流れは均一となり、空隙領域（Ｒ）から現像剤（粉塵）を均一に吸引できる。
【００５５】
駆動制御部（２１）は、各検出センサ（２２Ｍ）、（２２Ｃ）、（２２Ｙ）、（２２Ｂ）の検出信号を入力し、各吸引ダクト（１６Ｍ）、（１６Ｃ）、（１６Ｙ）、（１６Ｂ）内の現像剤（粉塵）量を判別する。
そして、駆動制御部（２１）は、現像剤（粉塵）量の判別に基づいて、特定の偏心駆動モータ（３３）を駆動することで、特定の仕切部材（３１）を吸引ダクト手段（１５）内外に進入移動、退避移動して、吸引ダクト（１６Ｍ）、（１６Ｃ）、（１６Ｙ）、（１６Ｂ）の合流位置を変更する。
現像剤（粉塵）の多い吸引ダクトにおいて、空気の流量（吸引力）を上昇することができる。
これにより、仕切部材（３１）を進入移動、又は退避移動することで、各吸引ダクト（１６Ｍ）、（１６Ｃ）、（１６Ｙ）、（１６Ｂ）を流れる空気の流量（吸引力）を調整でき、現像剤（粉塵）の飛散が多い吸引ダクトの流量を高めることができる。
従って、各現像ユニット（３Ｍ）、（３Ｃ）、（３Ｙ）、（３Ｂ）から空隙領域（Ｒ）に飛散する現像剤（粉塵）量に対応して、各吸引ダクト（１６Ｍ）、（１６Ｃ）、（１６Ｙ）、（１６Ｂ）の空気流量を調整できる。
【００５６】
＜他の実施形態＞
本発明に係る飛散粉塵装置（Ｘ）では、第１吸引ダクト（１６Ｍ）以外の吸引ダクト（１６Ｃ）、（１６Ｙ）、（１６Ｂ）を他の吸引ダクトとする構成について説明したが、これに限定されない。
例えば、吸引ダクト（１６Ｙ）、（１６Ｂ）を他の吸引ダクトとし、吸引ダクト（１６Ｍ）、（１６Ｃ）を第１吸引ダクトとする。他の各吸引ダクト（１６Ｙ）、（１６Ｂ）は、排気口（１７）側において、各第１吸引ダクト（１６Ｍ）、（１６Ｃ）に合流する前に、相互に合流させる構成も採用できる。
これにより、第１吸引ダクト（１６Ｍ）、（１６Ｃ）に空気の流量が集中することを低減でき、各吸引ダクト（１６Ｍ）、（１６Ｃ）、（１６Ｙ）、（１６Ｂ）を流れる空気の流量（吸引力）を均一にできる。
【００５７】
本発明に係る飛散粉塵吸引装置（Ｘ）では、第１吸引ダクトである吸引ダクト（１６Ｍ）の断面積を、他の吸引ダクト（１６Ｃ）、（１６Ｙ）、（１６Ｂ）の断面積より小さくする構成を採用できる。
断面積とは、各吸引ダクト（１６Ｍ）、（１６Ｃ）、（１６Ｙ）、（１６Ｂ）内を流れる空気の流れ方向に直交する断面積である。
第１吸引ダクト（１６Ｍ）の吸引口（１５Ｍ）は、図４に示すように、他の吸引ダクト（１６Ｃ）、（１６Ｙ）、（１６Ｂ）よりも、吸引ファン（１８）の近くに配置されているため、空気の風速及び流量が多くなる。空気の流量は、風速と断面積の積で算出されるので、第１吸引ダクト（１６Ｍ）の断面積又は吸引口（１５Ｍ）の断面積を、他の吸引ダクト（１６Ｃ）、（１６Ｙ）、（１６Ｂ）の断面積又は吸引口（１５Ｃ）、（１５Ｙ）、（１５Ｂ）の断面積より小さくする。
これにより、第１吸引ダクト（１６Ｍ）に流れる空気の流量を集中させないようにできる。
従って、各吸引ダクト（１６Ｍ）、（１６Ｃ）、（１６Ｙ）、（１６Ｂ）又は各吸引口（１５Ｍ）、（１５Ｃ）、（１５Ｙ）、（１５Ｍ）の形状によって、空気の流量（吸引力）を調節可能となる。なお、図１０に示す構成に、適用しても良い。
【００５８】
本発明に係る飛散粉塵吸引装置（Ｘ）では、現像剤検出部（２２）を採用しているが、これに限定されない。
画像形成装置（Ｙ）は、各感光体ドラム（５）に形成される静電潜像の書込み量（静電潜像を構成するドット数）を検出する書込み量検出部を備えている。この書込み量は、ドット記憶手段に記憶される。
駆動制御部（２１）は、ドット記憶手段の書込み量に基づいて、現像剤の使用量を算出する。そして、駆動制御部（２１）は、現像剤の使用量に基づいて、各現像ユニット（３Ｍ）、（３Ｃ）、（３Ｙ）、（３Ｂ）から空隙領域（Ｒ）に飛散する現像剤量を間接的に判別できる。
これにより、駆動制御部（２１）は、各仕切部材（３１）を吸引ダクト部（１５）内外に進入移動、退避移動させることで、各吸引ダクト（１６Ｍ）、（１６Ｃ）、（１６Ｙ）、（１６Ｂ）の合流位置を変更して、各吸引ダクト（１６Ｍ）、（１６Ｃ）、（１６Ｙ）、（１６Ｂ）を流れる空気の流量（吸引力）を調整できる。
【００５９】
＜複数の吸引ダクトの流量実験＞
本発明に係る飛散粉塵吸引装置（Ｙ）において、第１吸引ダクト（１６Ｍ）、及び他の各吸引ダクト（１６Ｃ）、（１６Ｙ）、（１６Ｂ）の合流位置を、各種態様（比較例、実施例１及び実施例２）として、共通の排気口（１７）から吸引ファン（１８）で吸引したものである（図１１参照）。
そして、比較例、実施例１、実施例２において、第１吸引ダクト（１６Ｍ）、及び他の各吸引ダクト（１６Ｃ）、（１６Ｙ）、（１６Ｂ）内を流れる空気の流量（吸引力）を測定したものである（図１２参照）。
【００６０】
＜比較例＞
比較例の態様は、図１１に示すように、第１吸引ダクト（１６Ｍ）と吸引ダクト（１６Ｃ）を合流させた後、排気口（１７）近傍で、残りの吸引ダクト（１６Ｙ）、（１６Ｂ）を合流させている。
【００６１】
＜実施例１＞
実施例１の態様は、図１１に示すように、第１吸引ダクト（１６Ｍ）以外の他の各吸引ダクト（１６Ｃ）、（１６Ｙ）、（１６Ｂ）を合流させた後、排気口（１７）近傍で、第１吸引ダクト（１６Ｍ）を合流させている。
【００６２】
＜実施例２＞
実施例２の態様は、図１１に示すように、第１吸引ダクト（１６Ｍ）以外の他の各吸引ダクト（１６Ｃ）、（１６Ｙ）、（１６Ｂ）を、実施例１よりも各吸引口（１５Ｃ）、（１５Ｙ）、（１５Ｂ）側で合流させた後、排気口（１７）近傍で、第１吸引ダクト（１６Ｍ）を合流させている。
即ち、実施例２の態様は、実施例１の態様に比して、他の各吸引ダクト（１６Ｃ）、（１６Ｙ）、（１６Ｂ）が合流する領域が多くなっている。
【００６３】
＜実験データの考察＞
図１２において、比較例では、第１吸引ダクト（１６Ｍ）内を流れる空気の流量は、他の各吸引ダクト（１６Ｃ）、（１６Ｙ）、（１６Ｂ）に比して極めて高い値を示している。
これは、比較例では、第１吸引ダクト（１６Ｍ）に空気の流量が集中することを意味している。
従って、比較例では、第１吸引ダクト（１６Ｍ）に必要以上の吸引力が発生し、空隙領域（Ｒ）に飛散する現像剤（粉塵）のみならず、クリーニングユニットの現像剤まで吸引する虞がある。
実施例１では、第１吸引ダクト（１６Ｍ）内を流れる空気の流量は、比較例よりも抑制されているものの、他の各吸引ダクト（１６Ｃ）、（１６Ｙ）、（１６Ｂ）に比して高い値を示している。
実施例２では、第１吸引ダクト（１６Ｍ）内を流れる空気の流量は、他の各吸引ダクト（１６Ｃ）、（１６Ｙ）、（１６Ｂ）と同程度の値を示している。
従って、実施例２では、各吸引ダクト（１６Ｍ）、（１６Ｃ）、（１６Ｙ）、（１６Ｂ）の吸引力（空気の流量）を均一でき、各空隙領域（Ｒ）に飛散する現像剤（粉塵）を均一に吸引、排気できる。
【産業上の利用可能性】
【００６４】
本発明は、画像形成する複写機、プリンタ、ＦＡＸ等の電子写真式の画像形成装置や他の印刷機等に対して好適に利用されるものである。
【符号の説明】
【００６５】
Ｘ  飛散粉塵吸引装置
Ｙ  画像形成装置
Ｒ  空隙領域
３Ｍ  現像ユニット
３Ｃ  現像ユニット
３Ｙ  現像ユニット
３Ｂ  現像ユニット
５  感光体ドラム（画像担持体）
１５  吸引ダクト部
１５Ｍ  吸引口
１５Ｃ  吸引口
１５Ｙ  吸引口
１５Ｂ  吸引口
１６Ｍ  吸引ダクト（第１吸引ダクト）
１６Ｃ  吸引ダクト
１６Ｙ  吸引ダクト
１６Ｂ  吸引ダクト
１７  排気口
１８  吸引装置
【図４】
0005470188.tif 000002
【図６】
0005470188.tif 000003
【図９】
0005470188.tif 000004
【図１０】
0005470188.tif 000005
【図１】
0005470188.tif 000006
【図２】
0005470188.tif 000007
【図３】
0005470188.tif 000008
【図５】
0005470188.tif 000009
【図７】
0005470188.tif 000010
【図８】
0005470188.tif 000011
【図１１】
0005470188.tif 000012
【図１２】
0005470188.tif 000013